(57)【要約】【課題】カバー部材の係合突起と筐体の係合凹部とがずれた状態で係合されることを予防できる携帯電子機器を提供する。【解決手段】カバー部材６は、被カバー部５０を覆う本体部６０と、本体部６０を被カバー部５０に対して着脱可能に支持する腕部６４と、第１係合凹部５１に係合されることにより本体部６０が被カバー部５０を覆った状態を維持する第１係合突起６１とを有し、筐体２及びカバー部材６は、いずれか一方に被挿入部５３、他方に挿入突起６３がそれぞれ設けられ、挿入突起６３及び被挿入部５３は、第１係合突起６１が第１係合凹部５１に挿入可能な状態で本体部６０が被カバー部５０に近接される場合には挿入突起６３が被挿入部５３に挿入可能で、第１係合突起６１が第１係合凹部５１に挿入不可能な状態で本体部６０が被カバー部５０に近接される場合には挿入突起６３が被挿入部５３の周縁部に当接して被挿入部５３に挿入不可能な関係に形成される。【選択図】図１５
2010232928.tif 000002
【特許請求の範囲】
【請求項１】
インターフェース開口部を有する被カバー部を有する筐体と、前記被カバー部に着脱自在なカバー部材とを備える携帯電子機器であって、
前記被カバー部には第１係合凹部が設けられ、
前記カバー部材は、前記被カバー部を覆う本体部と、一端が前記筐体における前記被カバー部の近傍に取り付けられるとともに前記本体部を前記被カバー部に対して着脱可能に支持する腕部と、前記第１係合凹部に係合されることにより前記本体部が前記被カバー部を覆った取り付け状態を維持する第１係合突起と、を有し、
前記筐体及び前記カバー部材は、いずれか一方には被挿入部、他方には当該被挿入部に挿入可能な挿入突起がそれぞれ設けられ、
前記挿入突起及び前記被挿入部は、
前記第１係合突起が前記第１係合凹部に挿入可能な状態で前記本体部が前記被カバー部に近接される場合には前記挿入突起が前記被挿入部に挿入可能で、前記第１係合突起が前記第１係合凹部に挿入不可能な状態で前記本体部が前記被カバー部に近接される場合には前記挿入突起が前記被挿入部の周縁部に当接して当該被挿入部に挿入不可能な関係に形成されている、
ことを特徴とする携帯電子機器。
【請求項２】
前記被カバー部には、前記第１係合凹部とは異なる位置に第２係合凹部が設けられ、
前記カバー部材は、前記第１係合突起とは異なる方向に突出し、前記第２係合凹部に係合されることにより前記取り付け状態を維持する第２係合突起をさらに有し、
前記取り付け状態においては、前記第１係合突起が前記第１係合凹部に、前記第２係合突起が前記第２係合凹部にそれぞれ係合する
ことを特徴とする請求項１に記載の携帯電子機器。
【請求項３】
前記被カバー部は、前記筐体における一の稜線を挟む２面に亘って形成され、
前記カバー部材は、前記取り付け状態において、その外表面が前記２面に連続するよう形成されている
ことを特徴とする請求項１に記載の携帯電子機器。
【請求項４】
前記被カバー部には、前記第１係合凹部とは異なる位置に第２係合凹部が設けられ、
前記カバー部材は、前記第１係合突起とは異なる方向に突出し、前記第２係合凹部に係合されることにより前記取り付け状態を維持する第２係合突起をさらに有し、
前記取り付け状態においては、前記第１係合突起が前記第１係合凹部に、前記第２係合突起が前記第２係合凹部にそれぞれ係合する
ことを特徴とする請求項３に記載の携帯電子機器。
【請求項５】
前記第１係合突起が前記第１係合凹部に係合する方向と、前記第２係合突起が前記第２係合凹部に係合する方向は、それぞれ前記２面に沿う方向である
ことを特徴とする請求項４に記載の携帯電子機器。
【請求項６】
前記カバー部材は、前記第１係合突起を前記第１係合凹部に挿入させた状態で、前記第１係合突起を支点として前記カバー部材を回転させることにより、前記挿入突起が前記被挿入部の挿入可能かつ前記第２係合突起が前記第２係合凹部に係合可能に構成される
ことを特徴とする請求項５に記載の携帯電子機器。
【請求項７】
前記カバー部材は、前記被カバー部に装着されない状態において、前記腕部を支点として前記２面のうちの一方の面に沿う側への回転を許容する
ことを特徴とする請求項３から６のいずれか一項に記載の携帯電子機器。
【請求項８】
前記カバー部材の外側を形成する外側形成材料は、前記カバー部材の内側を形成する内側形成材料よりも硬い材料からなり、
前記第１係合突起及び前記腕部は、前記内側形成材料から形成され、
前記挿入突起は、前記外側形成材料から形成される
ことを特徴とする請求項１から７のいずれか一項に記載の携帯電子機器。
【発明の詳細な説明】
【技術分野】
【０００１】
本発明は、携帯電話機などの携帯電子機器に関する。
【背景技術】
【０００２】
携帯電子機器としての携帯電話機においては、一般的に、携帯電話機を構成する筐体の側面にインターフェース（接続端子等）が設けられる。そして、インターフェースの防塵などを図るために、インターフェースを覆うカバー部材（キャップ）が設けられることが多い。そして、このような携帯電話機において、カバー部材に係合突起（係合爪）を設けるとともに、筐体に係合凹部に設け、係合突起と係合凹部とを係合させることで、インターフェースの未使用時においてカバー部材が筐体に取り付けられた状態を維持させる技術が知られている（例えば、下記特許文献１参照）。
【先行技術文献】
【特許文献】
【０００３】
【特許文献１】特開２００８−１９８４２８号公報
【発明の概要】
【発明が解決しようとする課題】
【０００４】
しかし、特許文献１に記載の携帯電話機においては、カバー部材を筐体に取り付ける際に、カバー部材の係合突起と筐体の係合凹部との位置がずれた状態で係合突起を係合凹部に強引に押し込むと、係合突起が潰れ、係合突起と係合凹部との係合できなくなることがある。
【０００５】
従って、本発明は、カバー部材を筐体に取り付ける際に、カバー部材の係合突起と筐体の係合凹部との位置がずれた状態で係合突起と係合凹部とが係合されそうになることを予防し、係合突起の破損を回避することができる携帯電子機器を提供することを目的とする。
【課題を解決するための手段】
【０００６】
本発明は、インターフェース開口部を有する被カバー部を有する筐体と、前記被カバー部に着脱自在なカバー部材とを備える携帯電子機器であって、前記被カバー部には第１係合凹部が設けられ、前記カバー部材は、前記被カバー部を覆う本体部と、一端が前記筐体における前記被カバー部の近傍に取り付けられるとともに前記本体部を前記被カバー部に対して着脱可能に支持する腕部と、前記第１係合凹部に係合されることにより前記本体部が前記被カバー部を覆った取り付け状態を維持する第１係合突起と、を有し、前記筐体及び前記カバー部材は、いずれか一方には被挿入部、他方には当該被挿入部に挿入可能な挿入突起がそれぞれ設けられ、前記挿入突起及び前記被挿入部は、前記第１係合突起が前記第１係合凹部に挿入可能な状態で前記本体部が前記被カバー部に近接される場合には前記挿入突起が前記被挿入部に挿入可能で、前記第１係合突起が前記第１係合凹部に挿入不可能な状態で前記本体部が前記被カバー部に近接される場合には前記挿入突起が前記被挿入部の周縁部に当接して当該被挿入部に挿入不可能な関係に形成されている、
ことを特徴とする携帯電子機器に関する。
【０００７】
また、前記被カバー部には、前記第１係合凹部とは異なる位置に第２係合凹部が設けられ、前記カバー部材は、前記第１係合突起とは異なる方向に突出し、前記第２係合凹部に係合されることにより前記取り付け状態を維持する第２係合突起をさらに有し、前記取り付け状態においては、前記第１係合突起が前記第１係合凹部に、前記第２係合突起が前記第２係合凹部にそれぞれ係合することが好ましい。
【０００８】
また、前記被カバー部は、前記筐体における一の稜線を挟む２面に亘って形成され、前記カバー部材は、前記取り付け状態において、その外表面が前記２面に連続するよう形成されていることが好ましい。
【０００９】
また、前記被カバー部には、前記第１係合凹部とは異なる位置に第２係合凹部が設けられ、前記カバー部材は、前記第１係合突起とは異なる方向に突出し、前記第２係合凹部に係合されることにより前記取り付け状態を維持する第２係合突起をさらに有し、前記取り付け状態においては、前記第１係合突起が前記第１係合凹部に、前記第２係合突起が前記第２係合凹部にそれぞれ係合することが好ましい。
【００１０】
また、前記第１係合突起が前記第１係合凹部に係合する方向と、前記第２係合突起が前記第２係合凹部に係合する方向は、それぞれ前記２面に沿う方向であることが好ましい。
【００１１】
また、前記カバー部材は、前記第１係合突起を前記第１係合凹部に挿入させた状態で、前記第１係合突起を支点として前記カバー部材を回転させることにより、前記挿入突起が前記被挿入部の挿入可能かつ前記第２係合突起が前記第２係合凹部に係合可能に構成されることが好ましい。
【００１２】
また、前記カバー部材は、前記被カバー部に装着されない状態において、前記腕部を支点として前記２面のうちの一方の面に沿う側への回転を許容することが好ましい。
【００１３】
また、前記カバー部材の外側を形成する外側形成材料は、前記カバー部材の内側を形成する内側形成材料よりも硬い材料からなり、前記第１係合突起及び前記腕部は、前記内側形成材料から形成され、前記挿入突起は、前記外側形成材料から形成されることが好ましい。
【発明の効果】
【００１４】
本発明によれば、カバー部材を筐体に取り付ける際に、カバー部材の係合突起と筐体の係合凹部との位置がずれた状態で係合突起と係合凹部とが係合されそうになることを予防し、係合突起の破損を回避することができる携帯電子機器を提供することができる。
【図面の簡単な説明】
【００１５】
【図１】本発明の一実施形態の携帯電話機１を開状態で示す斜視図である。
【図２】本発明の一実施形態の携帯電話機１を閉状態で示す斜視図である。
【図３】図２に示す携帯電話機１を操作部側筐体２から視た背面図である。
【図４】図３に示す操作部側筐体２から仮想的にカバー部材６を外した状態を示す図である。
【図５】カバー部材６を示す斜視図である。
【図６】カバー部材６を示す側面図である。
【図７】図３に示すＡ−Ａ線断面図である。
【図８】図７に示す状態の操作部側筐体２からカバー部材６を外した状態を示す断面図で、（Ａ）は操作部側筐体２を示す図、（Ｂ）はカバー部材６を示す図である。
【図９】図３に示すＢ−Ｂ線断面図である。
【図１０】図９に示す状態の操作部側筐体２からカバー部材６を外した状態を示す断面図である。
【図１１】操作部側筐体２にカバー部材６を取り付ける態様（第１近接態様）を順次示す断面図で、（Ａ）は図７に対応する図、（Ｂ）は図９に対応する図である。
【図１２】操作部側筐体２にカバー部材６を取り付ける態様（第１近接態様）を順次示す断面図で、（Ａ）は図７に対応する図、（Ｂ）は図９に対応する図である。
【図１３】操作部側筐体２にカバー部材６を取り付ける態様（第１近接態様）を順次示す断面図で、（Ａ）は図７に対応する図、（Ｂ）は図９に対応する図である。
【図１４】第１係合突起６１と第１係合凹部５１とがずれた状態で操作部側筐体２にカバー部材６を取り付けようとする態様（第２近接態様）を順次示す断面図で、（Ａ）は図７に対応する図、（Ｂ）は図９に対応する図である。
【図１５】第１係合突起６１と第１係合凹部５１とがずれた状態で操作部側筐体２にカバー部材６を取り付けようとする態様（第２近接態様）を順次示す断面図で、（Ａ）は図７に対応する図、（Ｂ）は図９に対応する図である。
【発明を実施するための形態】
【００１６】
以下、本発明の実施形態について、図面を参照しながら説明する。まず、本発明の携帯電子機器の一実施形態である携帯電話機１の基本構造について、図１及び図２を参照しながら説明する。
図１は、本発明の一実施形態の携帯電話機１を開状態で示す斜視図である。図２は、本発明の一実施形態の携帯電話機１を閉状態で示す斜視図である。
【００１７】
図１及び図２に示すように、本実施形態の携帯電話機１は、折り畳み型の携帯電話機１であって、略直方体形状の操作部側筐体２と、略直方体形状の表示部側筐体３と、操作部側筐体２と表示部側筐体３とを連結する連結部４と、を備える。
【００１８】
操作部側筐体２の上端部と表示部側筐体３の下端部とは、連結部４を介して開閉可能に連結される。つまり、連結部４は、表示部側筐体３と操作部側筐体２とを開閉軸を中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態、図１参照）や、操作部側筐体２と表示部側筐体３とが折り畳まれた状態（閉状態、図２参照）に変形される。
【００１９】
本実施形態の各構成部材の説明においては、携帯電話機１を図２に示す折り畳まれた状態とした場合に、連結部４からその反対側に向かう方向を「長手方向Ｄ１」又は「第１方向Ｄ１」といい、長手方向Ｄ１及び厚み方向Ｄ３と直交する方向を「幅方向Ｄ２」又は「第２方向Ｄ２」という。
【００２０】
まず、操作部側筐体２について説明する。操作部側筐体２は、外郭を形成するフロントケース２１及びリアケース２２を備える。フロントケース２１は、操作部側筐体２の前面２ａ側を構成する。操作部側筐体２の前面２ａは、携帯電話機１が折り畳まれた状態で表示部側筐体３と向かい合う面である。リアケース２２は、操作部側筐体２における前面２ａと反対側の面である背面２ｂ側を構成する。
【００２１】
フロントケース２１は、操作キー群１１が前面２ａに露出するように構成される。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、を有する。
【００２２】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーがユーザにより押圧されることで、各キーに割り当てられている機能に応じた動作が実行される。
【００２３】
操作部側筐体２の前面２ａには、携帯電話機１のユーザが通話時に発した音声が入力される音声入力部１２が配置される。音声入力部１２は、操作部側筐体２の長手方向における連結部４とは反対側の端部（下端部）の近傍に配置される。
【００２４】
操作部側筐体２の側面には、例えば、外部機器（例えば、ホスト装置）とデータの送受信を行うためのインターフェースや、ヘッドホン／マイク端子、着脱可能な外部メモリのインターフェースや、バッテリを充電するための充電端子などが設けられる。これらは、全てインターフェースの一例とする。
【００２５】
次に、表示部側筐体３について説明する。図１及び図２に示すように、表示部側筐体３は、外郭を形成するフロントケース３０ａ、カバー部材３３及びリアケース３０ｂを備える。フロントケース３０ａ及びカバー部材３３は、表示部側筐体３の前面３ａ側を構成する。表示部側筐体３の前面３ａは、携帯電話機１が折り畳まれた状態で操作部側筐体２と向かい合う面である。リアケース３０ｂは、表示部側筐体３における前面３ａと反対側の面である背面３ｂ側を構成する。
【００２６】
表示部側筐体３の内部には、各種情報を表示させるメイン液晶モジュール３４が配置されている。メイン液晶モジュール３４の一方の面には、メイン表示部３４ａが設けられる。メイン表示部３４ａは、全部又は一部が透明なカバー部材３３を介して、表示部側筐体３の前面３ａ側から視認可能となっている。
【００２７】
また、フロントケース３０ａには、通話の相手側における音声を出力する音声出力部３１が配置される。音声出力部３１は、表示部側筐体３の長手方向における連結部４とは反対の端部側に配置される。
【００２８】
表示部側筐体３のリアケース３０ｂ側には、各種情報を表示させるサブ液晶モジュール３６が配置される。サブ液晶モジュール３６における一方の面には、サブ表示部３６ａが設けられる。サブ表示部３６ａは、リアケース３０ｂの透明部分を介して、表示部側筐体３の背面３ｂ側から視認可能となっている。
【００２９】
メイン液晶モジュール３４及びサブ液晶モジュール３６それぞれは、液晶パネルと、液晶パネルを駆動する駆動回路と、液晶パネルの背面側から光を照射するバックライトとを有する。
【００３０】
次に、操作部側筐体２に取り付けられるカバー部材６及び操作部側筐体２におけるカバー部材６に係わる構成について、図３から図１０を参照しながら説明する。
図３は、図２に示す携帯電話機１を操作部側筐体２から視た背面図である。図４は、図３に示す操作部側筐体２から仮想的にカバー部材６を外した状態を示す図である。図５は、カバー部材６を示す斜視図である。図６は、カバー部材６を示す側面図である。図７は、図３に示すＡ−Ａ線断面図である。図８は、図７に示す状態の操作部側筐体２からカバー部材６を外した状態を示す断面図で、（Ａ）は操作部側筐体２を示す図、（Ｂ）はカバー部材６を示す図である。図９は、図３に示すＢ−Ｂ線断面図である。図１０は、図９に示す状態の操作部側筐体２からカバー部材６を外した状態を示す断面図である。
【００３１】
なお、図４は、カバー部材６を仮想的に操作部側筐体２の被カバー部５０から外した状態を示しており、通常の使用態様では、腕部６４が、腕挿入部５４から完全に抜けることはない。図７は、カバー部材６の第１係合突起６１及び第２係合突起６２を通るＡ−Ａ切断面（図５において１点鎖線で示す）にて切断した断面図である。図９は、カバー部材６の挿入突起６３を通るＢ−Ｂ切断面（図５において１点鎖線で示す）にて切断した断面図である。
【００３２】
また、以下の説明において、長手方向Ｄ１又は第１方向Ｄ１のうち、連結部４からその反対側に向かう方向を「先端方向Ｄ１１」といい、先端方向Ｄ１１の反対方向を「基端方向Ｄ１２」という。厚み方向Ｄ３のうち、操作部側筐体２から表示部側筐体３に向かう方向を「前面方向Ｄ３１」といい、前面方向Ｄ３１の反対方向を「背面方向Ｄ３２」という。幅方向Ｄ２又は第２方向Ｄ２のうち、携帯電話機１を背面方向Ｄ３２に視た場合における左方向及び右方向をそれぞれ「左方向Ｄ２１」及び「右方向Ｄ２２」という。
【００３３】
図３及び図４に示すように、操作部側筐体２の背面２ｂ側には、リアケース２２から取り外し可能なバッテリリッド２３が設けられる。バッテリリッド２３は、操作部側筐体２の背面２ｂ側における先端方向Ｄ１１側の略半分に亘っている。バッテリリッド２３は、バッテリ（図示せず）をリアケース２２の外側から収納した後、リアケース２２に装着される。
【００３４】
図３及び図４に示すように、操作部側筐体２は、背面２ｂ側における左方向Ｄ２１側に、被カバー部５０（すなわち、インターフェースが筐体外に露出される開口部）を有する。被カバー部５０は、カバー部材６の本体部６０（後述）により覆われる部位である。被カバー部５０は、操作部側筐体２の背面２ｂから左側面（左方向Ｄ２１側の側面）２ｃに亘っている。つまり、被カバー部５０は、稜線を含む第１面Ｆ１と第２面Ｆ２（背面２ｂと側面２ｃ）に亘って形成される。被カバー部５０は、全体として凹状に形成されており、所定のインターフェースＩＦ（図３及び図４においてハッチングで示す）等の開口部（インターフェース開口部）が配置される。
【００３５】
詳細は後述するが、操作部側筐体２は、被カバー部５０に、第１係合凹部５１と、第２係合凹部５２と、被挿入部５３と、腕挿入部５４と、を備える。
【００３６】
これらの第１係合凹部５１、第２係合凹部５２、被挿入部５３及び腕挿入部５４の説明に先立ち、カバー部材６について説明する。
図３及び図４に示すように、カバー部材６は、操作部側筐体２の被カバー部５０をカバーする（覆う）部材である。カバー部材６は、本体部６０と、第１係合突起６１と、第２係合突起と、挿入突起６３と、腕部６４と、を有する。
【００３７】
本体部６０は、カバー部材６が操作部側筐体２に取り付けられて本体部６０が被カバー部５０を覆った取り付け状態（以下単に「取り付け状態」ともいう）において、被カバー部５０を覆う部位である。
本体部６０は、被カバー部５０を閉塞し得る形状及び大きさを有し、前面方向Ｄ３１に視た場合に略矩形状を有している。本体部６０は、第１方向Ｄ１に視た場合に、略Ｌ字形状を有している。略Ｌ字形状の本体部６０において、その屈曲部は、操作部側筐体２の背面２ｂと側面２ｃとの稜線の近傍に位置する。略Ｌ字形状の本体部６０は、第１方向Ｄ１に視た場合に、前記屈曲部から右方向Ｄ２２及び前面方向Ｄ３１にそれぞれ延びている。カバー部材６が操作部側筐体２に取り付けられた状態で、第１面Ｆ１（背面２ｂ）と第２面Ｆ２（側面２ｃ）との両方において、カバー部材６と操作部側筐体２の外表面はそれぞれ連続する。
【００３８】
第１係合突起６１は、取り付け状態において第１係合凹部５１に係合される突起である。また、第１面Ｆ１の沿う方向に突出している。第１係合突起６１は、右方向Ｄ２２（インターフェースＩＦの挿入方向）に突出する。第１係合突起６１は、本体部６０の右方向Ｄ２２側における背面方向Ｄ３２寄りの位置に、第１方向Ｄ１に離間して２個設けられる。２個の第１係合突起６１のうち先端方向Ｄ１１寄りの第１係合突起６１は、前面方向Ｄ３１に視た場合に、腕部６４よりも基端方向（カバー部材６の自由端側）Ｄ１２側に配置される。
第１係合突起６１における先端部（右方向Ｄ２２側の端部）における前面方向Ｄ３１側には、面取り又は丸みが形成されている。これにより、第１係合突起６１の潰れが発生しにくくなっている。
【００３９】
第２係合突起６２は、第２面Ｆ２（側面２ｃ）に沿う方向に突出し、取り付け状態において第２係合凹部５２に係合される突起である。第２係合突起６２は、前面方向Ｄ３１に突出する。第２係合突起６２は、本体部６０の前面方向Ｄ３１側に、第１方向Ｄ１に離間して２個設けられる。
従って、第１係合突起６１が第１係合凹部５１に係合する方向と、第２係合突起６２が第２係合凹部５２に係合する方向は、それぞれ第１面Ｆ１と第２面Ｆ２（背面２ｂと側面２ｃ）に沿う方向となる。
第２係合突起６２の突出量は、第１係合突起６１の突出量よりも小さくなっている。そのため、取り付け状態からカバー部材６を取り外す際に、第１係合突起６１と第１係合凹部５１との係合よりも、第２係合突起６２と第２係合凹部５２との係合の方が解除されやすくなっている。
第２係合突起６２における先端部（前面方向Ｄ３１側の端部）における右方向Ｄ２２側には、面取り又は丸みが形成されている。これにより、第２係合突起６２の潰れが発生しにくくなっている。
【００４０】
挿入突起６３は、取り付け状態において被挿入部５３に挿入される突起である。挿入突起６３は、右方向Ｄ２２に突出する。挿入突起６３は、本体部６０の右方向Ｄ２２側における基端方向Ｄ１２側の端部近傍に１個配置される。挿入突起６３は、基端方向Ｄ１２寄りの第１係合突起６１よりも、基端方向Ｄ１２側に位置する。
【００４１】
腕部６４の一端は、操作部側筐体２における被カバー部５０の近傍に取り付けられる。腕部６４は、本体部６０を被カバー部５０に対して着脱可能に支持する。詳述すると、腕部６４は、腕挿入部５４に挿入される。腕部６４は、可撓性を有する材料からなる。腕部６４は、本体部６０における右方向Ｄ２２側における先端方向Ｄ１１側の端部の近傍に位置する。腕部６４は、右方向Ｄ２２に向けて延設される。カバー部材６を基端方向Ｄ１２に視た場合、腕部６４は、挿入突起６３に重なる位置に設けられる。
【００４２】
腕部６４は、基部６４ａとストッパ部６４ｂとを有する。基部６４ａは、腕部６４における本体部６０側の部位であり、長い円柱形状（棒状）を有する。ストッパ部６４ｂは、基部６４ａにおける右方向Ｄ２２側の端部に連結されており、腕挿入部５４に対するストッパ（抜け止め）として機能する。ストッパ部６４ｂは、その右方向Ｄ２２側が左方向Ｄ２１側よりも細くなった円錐台形状を有する。
【００４３】
腕部６４は、右方向Ｄ２２に延びる腕挿入部５４に挿入される。取り付け状態において、腕部６４は、腕挿入部５４の内部に収容される。腕部６４は、カバー部材６を操作部側筐体２の被カバー部５０に取り付ける過程においてカバー部材６の移動方向を右方向Ｄ２２に沿うように規制する規制部材としても機能する。腕挿入部５４の断面形状は、腕部６４の断面形状よりもわずかに大きくなっており、そのため、カバー部材６は、被カバー部５０に装着されない状態において、腕部６４を支点として第１面Ｆ１又は第２面Ｆ２に沿う側への回転が許容される。
【００４４】
図８（Ｂ）及び図１０（Ｂ）に示すように、カバー部材６は、外側形成材料６Ａと内側形成材料６Ｂとから形成される。
外側形成材料６Ａは、主としてカバー部材６の外側を形成する。内側形成材料６Ｂは、主としてカバー部材６の内側を形成する。外側形成材料６Ａは、内側形成材料６Ｂよりも硬い材料からなる。
【００４５】
外側形成材料６Ａは、例えば、ポリカーボネートなどの硬質の材料からなる。内側形成材料６Ｂは、例えば、エラストマーなどの柔軟性、可撓性を有する材料からなる
第１係合突起６１、第２係合突起６２及び腕部６４は、柔軟性、可撓性などを重視して、内側形成材料６Ｂから形成される。挿入突起６３は、潰れなどの破損に対する耐性を重視して、外側形成材料６Ａから形成される。
【００４６】
次に、操作部側筐体２の被カバー部５０について説明する。被カバー部５０には、前述の通り、第１係合凹部５１と、第２係合凹部５２と、被挿入部５３と、腕挿入部５４と、が設けられる。
【００４７】
図７から図１０に示すように、第１係合凹部５１は、取り付け状態において第１係合突起６１が係合する凹部であり、第１係合突起６１に対応して２個設けられる。第１係合凹部５１は、被カバー部５０における背面方向Ｄ３２側に、右方向Ｄ２２に延びるように設けられる。
【００４８】
第２係合凹部５２は、取り付け状態において第２係合突起６２が係合する凹部であり、第２係合突起６２に対応して２個設けられる。第２係合凹部５２は、被カバー部５０における前面方向Ｄ３１側に、前面方向Ｄ３１に延びるように設けられる。
【００４９】
被挿入部５３は、取り付け状態において挿入突起６３が挿入される部位であり、挿入突起６３に対応して１個設けられる。被挿入部５３は、被カバー部５０に、右方向Ｄ２２に延びるように設けられる。
【００５０】
腕挿入部５４は、腕部６４が挿入される部位であり、腕部６４に対応して１個設けられる。腕挿入部５４は、被カバー部５０における先端方向Ｄ１１側に、右方向Ｄ２２に延びるように設けられる。
【００５１】
次に、カバー部材６と被カバー部５０との関係について説明する。
挿入突起６３は、第１係合突起６１を第１係合凹部５１に挿入させた状態でカバー部材６を操作部側筐体２に近接させる第１近接態様において、被挿入部５３に挿入可能である。また、挿入突起６３は、第１係合突起６１を第１係合凹部５１に挿入させずにカバー部材６を操作部側筐体２に近接させる第２近接態様において、被挿入部５３に挿入不能に構成される。
【００５２】
また、カバー部材６は、第１係合突起６１を第１係合凹部５１に挿入させた状態で、第１係合突起６１を支点とし且つ第１方向Ｄ１（操作部側筐体２の厚み方向Ｄ３に直交する方向）を回転軸方向としてカバー部材６を回転させることにより、挿入突起６３が被挿入部５３に挿入可能かつ第２係合突起６２が第２係合凹部５２に係合可能に構成される。
【００５３】
操作部側筐体２とカバー部材６との取り付け状態は、第１係合突起６１と第１係合凹部５１とが係合すると共に第２係合突起６２と第２係合凹部５２とが係合することにより、維持される。
【００５４】
また、図３等に示す取り付け状態から、第１係合突起６１と第１係合凹部５１との係合を解除すると共に、第２係合突起６２と第２係合凹部５２との係合を解除し、その後、カバー部材６を左方向Ｄ２１に移動させると、腕部６４のストッパ部６４ｂが腕挿入部５４の挿入口近傍に引っ掛かり、腕部６４が腕挿入部５４から完全には抜けないようになっている。
【００５５】
続いて、カバー部材６を操作部側筐体２に取り付ける手順について、図１１から図１３を参照しながら説明する。
図１１は、操作部側筐体２にカバー部材６を取り付ける態様（第１近接態様）を順次示す断面図で、（Ａ）は図７に対応する図、（Ｂ）は図９に対応する図である。図１２は、操作部側筐体２にカバー部材６を取り付ける態様（第１近接態様）を順次示す断面図で、（Ａ）は図７に対応する図、（Ｂ）は図９に対応する図である。図１３は、操作部側筐体２にカバー部材６を取り付ける態様（第１近接態様）を順次示す断面図で、（Ａ）は図７に対応する図、（Ｂ）は図９に対応する図である。
【００５６】
まず、第１係合突起６１を第１係合凹部５１に挿入させた状態でカバー部材６を操作部側筐体２に近接させる第１近接態様で、カバー部材６を操作部側筐体２に取り付ける手順について説明する。
図１１に示すように、カバー部材６を、操作部側筐体２の被カバー部５０に近接するように右方向Ｄ２２に移動させる。ここで、腕挿入部５４へ腕部６４が挿入されることで、カバー部材６が被カバー部５０にスムーズに近接する。また、第２係合突起６２が被カバー部５０の外縁に引っ掛からないように、第１係合突起６１を第１係合凹部５１に挿入可能な体勢としつつ、第２係合突起６２を背面方向Ｄ３２に若干ずらせた状態で、カバー部材６を移動させる。
【００５７】
図１２に示すように、第１係合突起６１を第１係合凹部５１に挿入すると共に、挿入突起６３を被挿入部５３に挿入する。そして、図１２及び図１３に示すように、第１係合突起６１を第１係合凹部５１に挿入させた状態で、第１係合突起６１を支点とし且つ第１方向Ｄ１（厚み方向Ｄ３に直交する方向）を回転軸方向としてカバー部材６を回転させることにより、挿入突起６３を被挿入部５３に挿入させる。
【００５８】
このように、第１係合突起６１を第１係合凹部５１に挿入させた状態でカバー部材６を操作部側筐体２に近接させる第１近接態様において、挿入突起６３を被挿入部５３に挿入させることができる。その結果、カバー部材６を操作部側筐体２の被カバー部５０に取り付けることができる。
【００５９】
また、第１係合突起６１における背面方向Ｄ３２側の面が、第１係合凹部５１における背面方向Ｄ３２側の内面を押圧すると共に、第２係合突起６２における左方向Ｄ２１側の面が第２係合凹部５２における左方向Ｄ２１側の内面を押圧する。そのため、カバー部材６が操作部側筐体２の被カバー部５０に取り付けられた状態が強く維持される。
【００６０】
次に、第１係合突起６１を第１係合凹部５１に挿入させずにカバー部材６を操作部側筐体２に近接させる第２近接態様で、カバー部材６を操作部側筐体２に取り付けるようとする手順について説明する。この第２近接態様においては、挿入突起６３を被挿入部５３に挿入させることができない。
【００６１】
図１４は、第１係合突起６１と第１係合凹部５１とがずれた状態で操作部側筐体２にカバー部材６を取り付けようとする態様（第２近接態様）を順次示す断面図で、（Ａ）は図７に対応する図、（Ｂ）は図９に対応する図である。図１５は、第１係合突起６１と第１係合凹部５１とがずれた状態で操作部側筐体２にカバー部材６を取り付けようとする態様（第２近接態様）を順次示す断面図で、（Ａ）は図７に対応する図、（Ｂ）は図９に対応する図である。
【００６２】
詳述すると、例えば、図１４に示すように、第１係合突起６１を第１係合凹部５１よりも背面方向Ｄ３２側に位置させた状態（第１係合突起６１を第１係合凹部５１に挿入しない状態）から、図１５に示すように、カバー部材６を操作部側筐体２の被カバー部５０に右方向Ｄ２２に移動させる。なお、図１４及び図１５においては、説明の便宜上、カバー部材６を背面方向Ｄ３２に大きく変位した状態を示している。
【００６３】
このような第２近接態様においては、図１５（Ｂ）に示すように、第１係合突起６１が被カバー部５０（操作部側筐体２）に接触する前に、挿入突起６３が被挿入部５３の近傍（外側）の被カバー部５０に接触する。そのため、挿入突起６３を被挿入部５３に挿入させることができない。
図１５に示す状態を別の見方をすると、挿入突起６３が被挿入部５３の近傍の被カバー部５０の周縁部に当接した状態において、第１係合突起６１は、第１係合凹部５１から離間していると言える。
【００６４】
本実施形態の携帯電話機１によれば、以下に示す各効果が奏される。
本実施形態においては、挿入突起６３は、第１係合突起６１を第１係合凹部５１に挿入させた状態でカバー部材６を操作部側筐体２に近接させる第１近接態様において被挿入部５３に挿入可能であると共に、第１係合突起６１を第１係合凹部５１に挿入させずにカバー部材６を操作部側筐体２に近接させる第２近接態様において被挿入部５３に挿入不能に構成される。
【００６５】
そのため、前記第２近接態様で、カバー部材６を操作部側筐体２に取り付けるようとしても、例えば、図１５（Ｂ）に示すように、第１係合突起６１が被カバー部５０に接触する前に、挿入突起６３が被挿入部５３の近傍の被カバー部５０に接触するため、挿入突起６３を被挿入部５３に挿入させることができない。従って、カバー部材６の第１係合突起６１と操作部側筐体２の第１係合凹部５１との位置がずれた状態で第１係合突起６１と第１係合凹部５１とが係合されそうになることを予防し、第１係合突起６１の破損を回避することができる。
【００６６】
本実施形態においては、被カバー部５０には第１係合凹部５１及び第２係合凹部５２が設けられ、カバー部材６は第１係合突起６１及び第２係合突起６２が設けられている。そのため、カバー部材６の着脱性を容易にしつつも、携帯電話機１を落下させたときの衝撃で、カバー部材６が外れにくい。
【００６７】
本実施形態においては、カバー部材６は、被カバー部５０に装着されない状態において、腕部６４を支点として第１面Ｆ１又は第２面Ｆ２に沿う側への回転が許容される。そのため、カバー部材６を外したときに、外したカバー部材６が邪魔になりにくい。このようなカテゴリのカバー部材に対しても、本発明を適用できる。
【００６８】
本実施形態においては、カバー部材６の外側を形成する外側形成材料６Ａは、カバー部材６の内側を形成する内側形成材料６Ｂよりも硬い材料からなり、第１係合突起６１は、内側形成材料６Ｂから形成され、挿入突起６３は、外側形成材料６Ａから形成される。そのため、柔軟性、可撓性などが要求される第１係合突起６１と腕部６４については、柔軟性、可撓性などを確保することができると共に、潰れなどの破損に対する耐性が要求される挿入突起６３については、潰れなどの破損に対する耐性を確保することができる。
【００６９】
以上、本発明の一実施形態について説明したが、本発明は、前述した実施形態に制限されるものではなく、適宜変更が可能である。
例えば、前記実施形態においては、本発明の構成を操作部側筐体２に適用しているが、これに制限されず、表示部側筐体３に適用することもできる。カバー部材６が設けられる位置は、特に制限されず、筐体の前面、背面及び側面のいずれも面でもよい。
前記実施形態においては、挿入突起６３がカバー部材６に設けられ、被挿入部５３が操作部側筐体２に設けられているが、これに制限されず、例えば、挿入突起が筐体に設けられ、被挿入部がカバー部材に設けられていてもよい。
【００７０】
また、本発明の携帯電子機器は、前記実施形態のような折り畳み式ではなく、操作部側筐体２と表示部側筐体３とを重ね合わせた状態から一方の筐体を一方向にスライドさせるようにしたスライド式の携帯電子機器であってもよい。また、本発明の携帯電子機器は、操作部側筐体２と表示部側筐体３との重ね合せ方向に沿う軸線を中心に一方の筐体を回転させるようにした回転式（ターンタイプ）の携帯電子機器であってもよい。
【００７１】
本発明は、携帯電話機以外の携帯電子機器に適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【符号の説明】
【００７２】
２  操作部側筐体（筐体）
５０  被カバー部
５１  第１係合凹部
５２  第２係合凹部
５３  被挿入部
６  カバー部材
６０  本体部
６Ａ  外側形成材料
６Ｂ  内側形成材料
６１  第１係合突起
６２  第２係合突起
６３  挿入突起
Ｄ３  厚み方向
【図１】
2010232928.tif 000003
【図２】
2010232928.tif 000004
【図３】
2010232928.tif 000005
【図４】
2010232928.tif 000006
【図５】
2010232928.tif 000007
【図６】
2010232928.tif 000008
【図７】
2010232928.tif 000009
【図８】
2010232928.tif 000010
【図９】
2010232928.tif 000011
【図１０】
2010232928.tif 000012
【図１１】
2010232928.tif 000013
【図１２】
2010232928.tif 000014
【図１３】
2010232928.tif 000015
【図１４】
2010232928.tif 000016
【図１５】
2010232928.tif 000017